(57)【要約】【課題】  歯間に面する歯牙側部を容易にブラッシングすることができ、かつインプラントやブリッジ等の人工物箇所の掃除が容易にできる、歯ブラシを提供する。【解決手段】  毛束は並行する３列に配列され、両側２列の先頭の両側先頭毛束１１，３１は互いの間隔ａ１をあけて先端位置を占め、両側第２毛束１２，３２は、両側先頭毛束の間隔ａ１と同等の間隔ｂ１を、該両側先頭毛束１１，３１との間にあけて位置し、両側第３毛束１３，３３は、両側先頭毛束の間隔ａ１と同等の間隔ｂ２を、該両側第２毛束１２，３２との間にあけて位置し、中央列の毛束は６本以上が、両側先頭毛束の間隔ａ１よりも小さい間隔ｃ２で該中央列に沿って両側列の毛束よりも密に位置し、該中央列の先頭毛束２１は両側先頭毛束１１，３１よりも後側に位置することを特徴とする。【選択図】        図１
0003161347.tif 000002
【実用新案登録請求の範囲】
【請求項１】
複数の毛束を有するブラシヘッドを備える歯ブラシであって、
前記毛束は並行する３列に配列され、
両側２列は、先端から同じ位置に毛束を有しており、
前記両側２列の先頭の両側先頭毛束は互いの間隔ａ１をあけて先端位置を占め、
前記両側２列の先頭から２番目の両側第２毛束は、前記両側先頭毛束の間隔ａ１と同等または同等を超える間隔ｂ１を、該両側先頭毛束との間にあけて位置し、
前記両側２列の先頭から３番目の両側第３毛束は、前記両側先頭毛束の間隔ａ１と同等または同等を超える間隔ｂ２を、該両側第２毛束との間にあけて位置し、
中央列の毛束は６本以上が、前記両側先頭毛束の間隔ａ１よりも小さい間隔で該中央列に沿って前記両側の２列の毛束よりも密に位置し、該中央列の先頭毛束は前記両側先頭毛束よりも後側に位置することを特徴とする、歯ブラシ。
【請求項２】
前記中央列の先頭毛束は前記両側先頭毛束よりも、前記両側先頭毛束の間隔ａ１の半分程度以上、後側に位置することを特徴とする、請求項１に記載の歯ブラシ。
【請求項３】
前記両側２列の先頭から４番目の両側第４毛束は、前記両側先頭毛束の間隔ａ１と同等または同等を超える間隔ｂ３を、該両側第３毛束との間にあけて位置することを特徴とする、請求項１または２に記載の歯ブラシ。
【請求項４】
前記両側２列の毛束が各列５本以上であることを特徴とする、請求項１〜３のいずれか１項に記載の歯ブラシ。
【請求項５】
前記中央列の毛束が７本以上あることを特徴とする、請求項１〜４のいずれか１項に記載の歯ブラシ。
【請求項６】
前記両側２列の最後尾の毛束が、前記中央列の最後尾の中央最後尾毛束と該最後尾のすぐ前の後側第２毛束とを含む中央後側領域、に対応する両側２列の領域に位置することを特徴とする、請求項１〜５のいずれか１項に記載の歯ブラシ。
【考案の詳細な説明】
【技術分野】
【０００１】
本考案は、歯ブラシに関し、より具体的には、歯間も含めて歯牙を容易に磨くことができる歯ブラシに関するものである。
【背景技術】
【０００２】
健康な歯の維持が、健康や美容にとって重要であり、とくに歯間の食物カスや歯垢の除去を日々の歯磨きにおいて励行することが望ましい。このため、歯ブラシによる歯磨きは重要であり、歯間ブラシなど多種類の歯ブラシが市販されている。しかし、ワイヤを心材に用いた歯間ブラシは耐久性に乏しく、何回かの使用により曲がり易くなり、遂には破断に至り易い。またワイヤの周囲に毛が外向きに設けられるため、ブラッシングにより、ワイヤが歯牙に当たり、極端な場合、歯が削られ円状の孔ができる場合がある。このため歯間ブラシによらずに、歯間部のブラッシングを容易にするための歯ブラシの提案がなされてきた。たとえば、歯間部のブラッシングを容易に行うことができるように、歯ブラシの毛を歯幅の間隔をあけて列状に配置する構造が提案された（特許文献１および２）。また、毛束の断面形状を三角にして、歯幅間隔で配置するなどして、歯間部のブラッシングを容易にする構造も提案されている（特許文献３）。これらの歯ブラシの利用によって、歯間部のブラッシングを、ある程度は容易に行うことが可能となった。
【特許文献１】特開２００２−０７８５２９号公報
【特許文献２】特開２００４−２３７０３１号公報
【特許文献３】特開２００７−１５１７０４号公報
【考案の開示】
【考案が解決しようとする課題】
【０００３】
上記の歯ブラシは、しかしながら、表面側または裏面側から歯間部をブラッシングすることは可能であるものの、歯ブラシの毛を歯間に挿入し、頬舌方向に往復運動させることによって歯間に面する歯牙側部をブラッシングすることはできない。そのような頬舌方向の往復運動には全く関心が向けられていない。しかし、隙間が生じた歯間に面する歯牙側部に対する、頬舌方向の往復のブラッシングは健康な歯を維持する上で、非常に大切である。
また、高齢化社会の進行につれ、ブリッジやインプラントなど人工物を装着したヒトの割合が急激に増大している。これら人工物も十分な手入れをしないと歯槽膿漏などの病巣の発生原因になる。
本考案は、歯間に面する歯牙側部を容易にブラッシングすることができ、かつインプラントやブリッジ等の人工物箇所（凹部）の掃除が容易にできる、歯ブラシを提供することを目的とする。
【課題を解決するための手段】
【０００４】
本考案の歯ブラシは、複数の毛束を有するブラシヘッドを備える。この歯ブラシでは、毛束は並行する３列に配列され、両側２列は、先端から同じ位置に毛束を有している。そして、両側２列の先頭の両側先頭毛束は互いの間隔ａ１をあけて先端位置を占め、両側２列の先頭から２番目の両側第２毛束は、両側先頭毛束の間隔ａ１と同等または同等を超える間隔ｂ１を、該両側先頭毛束との間にあけて位置し、両側２列の先頭から３番目の両側第３毛束は、両側先頭毛束の間隔ａ１と同等または同等を超える間隔ｂ２を、該両側第２毛束との間にあけて位置する。中央列の毛束は６本以上が、両側先頭毛束の間隔ａ１よりも小さい間隔で該中央列に沿って両側列の毛束よりも密に位置し、該中央列の先頭毛束は両側先頭毛束よりも後側に位置することを特徴とする。
【０００５】
上記の構成によれば、ブラシヘッドの先端位置に間隔ａ１をあけて２つの毛束が位置する。間隔ａ１は、中央列の先頭毛束が後に退いていることによってできた間隔である。間隔ａ１の２本の両側先頭毛束は、インプラント、ブリッジ等の人工物に付随する凹部を掻き出して掃除するのに使う。すなわちこの両側先頭毛束の一つ又は両方の先を、人工物に付随する狭くて深い凹部に届かせて、そこにたまった食物かす等をつつき出して掃除することが容易になる。また、人工物だけでなく健全な歯牙の歯間にたまった食物カス等をも、両側先頭毛束の一つを使って簡単につつき出すことができる。毛束の先は複数の毛が少し広がっているため、歯間に面する歯牙側部に食物カスを粘着させることなく除去することができる。また楊子を使ったときに、食物カスが軟らかく小さい場合、楊子が円錐状であるため、歯間の根本側（歯茎側）に押し込むことがあったが、食物カスの大きさ、硬さ、位置によらず食物カスを完全に除くことができる。
さらに１つの毛束の中の１本の毛または数本の毛を、歯間に挿入することも容易にできる。このとき１本の毛束の中の残りの毛は、歯間の外で撓ませておくことができる。１つの毛束に限れば毛の数が少ないため歯間の外で撓ませても大きな力を生じない。このため、非常に狭隘な歯間であっても容易に毛を挿入してブラッシングまたは清掃をすることができる。
従来の歯ブラシでは、ブラシヘッドの先に３つの列の先頭毛束が集まっていたため、一つの毛束だけを歯間に挿入しようとしても、他の毛束が障害になって、操作性の障害になっていた（大きな妨害力を生じる）。本発明のように、中央列の先頭毛束を後退させて、両側２列の間隔を広くとり、かつ両側第２毛束が広い間隔ｂ１（≧ａ１）をあけて後に退いていることで、その一つの毛束を用いて、上述のように歯間の清掃を容易に行うことができる。
【０００６】
また、両側第２毛束は、両側先頭毛束と間隔ｂ１（≧ａ１）をあけている。この間隔ｂ１は、前歯や奥歯の歯幅とほぼ同じなので、歯ブラシまたはブラシヘッドを横にすることで、前歯や奥歯の歯間の一方に先頭毛束を、また他方の歯間に第２毛束を挿入することが容易になる。この場合、ブラシヘッドを横にして歯間に毛束を挿入するので、両側列の毛束のうち、一方の列（第１列または第３列）の毛束が入れやすい。毛束を挿入して、頬舌方向に往復することで歯間を容易にブラッシングすることができる。このとき毛束でブラッシングするので、歯間や歯茎を痛めることはまったくない。
また、両側第３毛束は、両側第２毛束との間に間隔ｂ２（≧ａ１）をあけている。この大きい間隔ｂ２も、両側先頭毛束と両側第２毛束とを歯間に挿入する際に、同時に隣りの歯牙の歯間に両側第３毛束を挿入することを可能にする。このため並んだ２つの歯牙の歯間を、能率よく一度にブラッシングできる。すなわち、並んだ２本の歯牙の外側の２つの歯間、および２つの歯牙間の１つの歯間のそれぞれに、毛束を挿入して頬舌方向に往復にブラッシングすることができる。
要は、両側第１毛束の相互の間隔ａ１をあけることで、インプラント、ブリッジ等に伴う凹部に入った夾雑物をつつき出して掃除しやすくし、かつ、両側第２毛束と両側第３毛束とを、間隔をあけて配置することで、これらの毛束を歯間に同時に挿入して多くの歯間を能率よくブラッシングすることができる。ブラッシングは毛束を頬舌方向に往復させて、歯間や歯茎をまったく痛めることなく安全に行うことができる。
さらに中央列の毛束は、両側列よりも密に配列するので、歯牙の正面や歯茎を磨くのに便利である。すなわち中央列の歯ブラシは、歯間というより、歯牙面や歯茎正面を磨くのに適している。
【０００７】
中央列の先頭毛束は両側先頭毛束よりも、両側先頭毛束の間隔ａ１の半分程度以上、後側に位置することができる。これによって、中央列の先頭毛束を十分な距離、両側先頭毛束より後退させて、両側先頭毛束によるブリッジ、インプラント等の凹部からの食物カスの掘り出しの操作をしやすくすることができる。すなわち中央列の先頭毛束に邪魔されずに、両側先頭毛束を操作することができる。
【０００８】
両側２列の先頭から４番目の両側第４毛束は、両側先頭毛束の間隔ａ１と同等または同等を超える間隔ｂ３を、該両側第３毛束との間にあけて位置することができる。これによって、第３毛束と第４毛束とを歯間に挿入して歯間をブラッシングできる。朝のあわただしい時間に、急いで歯磨きをするとき、ブラシヘッドの多くの部分で、歯間を能率よくブラッシングできるのは便利であり、時間の節約になる。
【０００９】
両側２列の毛束を各列５本以上とすることができる。両側の列の毛束が５本より少ないと、毛束がへたり易く、耐用期間が短い。これは各列５本以上を配置することで、ヒトの腕力によってかける力を分散して負担することができ、毛束が大きく損傷されないためである。理論はともかく、臨床的に試行を繰り返した結果、得られた事実である。
【００１０】
中央列の毛束を７本以上とすることができる。これによって、中央列の毛束によって能率よく歯牙面や歯茎を磨くことができる。
【００１１】
両側２列の最後尾の毛束を、中央列の最後尾の中央最後尾毛束と該最後尾のすぐ前の後側第２毛束とを含む中央後側領域、に対応する両側２列の領域に位置するようにできる。これによって、ブラシヘッドの後側の領域で毛束の縁を、両側列〜中央列で揃えることができ、毛束が密集して剛性が高くなる。このため、後側の縁の毛束で、歯牙面や歯茎を、能率よく、かつ強く確実に磨くことができる。
【考案の効果】
【００１２】
本考案の歯ブラシによれば、歯間に面する歯牙側部を容易にブラッシングすることができ、かつインプラントやブリッジ等における掃除が容易にできる。
【図面の簡単な説明】
【００１３】
【図１】本考案の実施の形態１の歯ブラシのブラシヘッドにおける毛束の配列を示し、（ａ）は正面図、また（ｂ）は側面図である。
【図２】図１の歯ブラシ全体の斜視視図である。
【図３】本考案の実施の形態２の歯ブラシのブラシヘッドにおける毛束の配列を示し、（ａ）は正面図、また（ｂ）は側面図である。
【考案を実施するための最良の形態】
【００１４】
（実施の形態１）
図１は、本考案の実施の形態１の歯ブラシ５０のブラシヘッド５１における毛束の配列を示し、（ａ）は正面図、また（ｂ）は側面図である。また図２は、歯ブラシ５０の斜視図である。図２において毛束は示すが毛束がどこにあるか示す程度であり、毛束の配列については図１によって知ることができる。  図１（ａ）に示すように、ブラシヘッド５１において、毛束は、両側２列１１〜１５，３１〜３５、および、中央列２１〜２８、の３列に配列されている。
【００１５】
＜本考案の特徴＞
本校案の特徴は、次にあげる毛束の配列に特徴がある。作用効果と合わせて列挙する。
（１）：両側２列の先頭の毛束である両側先頭毛束１１，３１は、間隔ａ１をあけている。両側先頭毛束１１，３１の間には、中央列の毛束は存在しない。このような両側先頭毛束の配列によって、ブリッジ、インプラント等の人工物に付随する狭隘な凹部にどちらか一つまたは両方の毛束を差し込みながら、夾雑物をほじり出すことが容易になる。インプラント、ブリッジ等は、手入れを怠ると歯槽膿漏などの重病を誘発する。このような重大な病気を予防しようとすると、通常は、特殊な洗浄装置または歯科医によって清掃するのが普通である。しかし、本考案の歯ブラシを用いることで、特別な装置はまったく用いずに、毎日の歯磨きの際に、両側先頭毛束１１，３１の一つまたは両方によって人工物に付随する凹部にたまる食物カス等の夾雑物を容易に除去することができる。狭くて深い凹部であっても一つの毛束を奥深く中に挿入して、夾雑物を掻き出すことができる。
また、人工物だけでなく健全な歯牙の歯間にたまった食物カス等をも、両側先頭毛束の一つを使って簡単につつき出すことができる。毛束の先は複数の毛が少し広がっているため、歯間に面する歯牙側部に食物カスを粘着させることなく除去することができる。また楊子を使ったときに、食物カスが軟らかく小さい場合、楊子が円錐状であるため、歯間の根本側（歯茎側）に押し込むことがあったが、食物カスの大きさ、硬さ、位置によらず食物カスを完全に除くことができる。
さらに１つの毛束の中の１本の毛または数本の毛を、歯間に挿入することも容易にできる。このとき１本の毛束の中の残りの毛は、歯間の外で撓ませておくことができる。１つの毛束に限れば毛の数が少ないため歯間の外で撓ませても大きな力を生じない。このため、非常に狭隘な歯間であっても容易に毛を挿入してブラッシングまたは清掃をすることができる。
従来の歯ブラシでは、ブラシヘッドの先に３つの列の先頭毛束および後側の毛束が集まっていたため、一つの毛束だけを歯間に挿入しようとしても、他の毛束が障害の大きな力になって、操作性を低下させ、または操作を不可能にしていた。本発明のように、中央列の先頭毛束を後退させて両側２列の間隔を広くとり、かつ両側第２毛束が広い間隔ｂ１（≧ａ１）をあけて後に退いていることで、両側先頭毛束の一つの毛束を用いて、上述のように歯間の清掃を容易に行うことができる。ブリッジやインプラント等の人工物に不随する凹部の清掃を行うときには、両側先頭毛束の一つまたは両方を用いる場合がある。
【００１６】
（２）：両側２列の先頭から２番目の毛束である両側第２毛束１２，３２は、各列において、両側先頭毛束１１，３１から間隔ｂ１だけ間隔をあけて配置される。この間隔ｂ１は、両側先頭毛束１１，３１の間隔ａ１と同等か、同等を超えて大きい。
また、両側２列の先頭から３番目の毛束である両側第３毛束１３，３３は、各列において、両側第２毛束１２，３２から間隔ｂ２だけ間隔をあけて配置される。この間隔ｂ２は、両側先頭毛束１１，３１の間隔ａ１と同等か、同等を超えて大きい。
図１の歯ブラシの場合は、この間隔ｂ１およびｂ２は、両側先頭毛束１１，３１の間隔ａ１と同等である。
上記の構成によって、歯ブラシを横にして第１列の毛束を歯間に挿入する姿勢をとることで、少なくとも例えばある歯牙Ｔ１を想定して、（歯牙Ｔ１の奥側歯間に挿入された両側先頭毛束１１／歯牙Ｔ１／歯牙Ｔ１の表側歯間に挿入された両側第２毛束１２）／という毛束挿入状態を実現することができる。この挿入状態において頬舌方向に毛束を往復運動させることで、歯牙や歯茎を痛めることなく安全に、歯間ブラッシングを毎日の歯磨きの際に簡単に行うことができる。
また、両側先頭毛束１１，３１と、両側第２毛束１２，３２と、両側第３毛束１３，３３とを、すべて同時に歯間に挿入しなくてもよい。３つの毛束が歯間に挿入できる可能性をもっていると、歯ブラシの操作の途中、都合のいいときに、そのとき歯間に挿入しやすい位置にある毛束を即座に一つ用いることができる。歯間ブラッシングにおける使用する毛束の融通性を高めることができる。
さらに、両側第３毛束１３，３３の一方、例えば１３を隣の歯牙Ｔ２の表側歯間に挿入することで、歯牙Ｔ２の表側歯間も並行してブラッシングすることができる。たとえば毎朝、出勤、通学等の前に歯磨きをする時間は限られており、多くの歯間を並行して同時にブラッシングできることは、時間節約の点で好ましい。また、上述した使用する毛束の融通性の向上という点でも有効性を高めることができる。
さらに、両側２列の先頭から４番目の両側第４毛束は、両側先頭毛束の間隔ａ１と同等または同等を超える間隔ｂ３を、該両側第３毛束との間にあけて位置することができる。これによって、さらに歯磨きの能率向上を得ることができる。
【００１７】
（３）：中央列の先頭毛束２１は両側先頭毛束１１，３１よりも、距離ｃ１だけ後側に位置する。距離ｃ１は、両側先頭毛束の間隔ａ１の半分程度以上とするのがよい。これによって、中央列の先頭毛束を十分な距離、両側先頭毛束より後退させて、両側先頭毛束１１，３１の一方によるブリッジ、インプラント等の凹部からの食物かす等の掘り出しの操作性を高めることができる。すなわち中央列の先頭毛束に邪魔されずに、両側先頭毛束１１，３１の一方の操作性を高めることができる。
（４）：両側２列の毛束を各列５本以上とすることができる。両側の列の毛束が５本より少ないと、毛束がへたり易く、耐用期間が短い。これは各列５本以上を配置することで、ヒトの腕力によってかける力を分散して負担することができ、毛束が大きく損傷されないためである。理論はともかく、臨床的に試行を繰り返した結果、得られた事実である。
（５）：中央列の毛束を７本以上とすることができる。中央列の毛束２１〜２８は、比較的小さい等間隔ｃ２をあけて密に並んでいる。間隔ｃ２≦ｃ１である。これによって、中央列の毛束によって能率よく歯牙面や歯茎を磨くことができる。
（６）：両側２列の最後尾の毛束を、中央列の最後尾の中央最後尾毛束と該最後尾のすぐ前の後側第２毛束とを含む中央後側領域、に対応する両側２列の領域に位置するようにできる。これによって、ブラシヘッドの後側の領域で毛束の縁を、両側列〜中央列で揃えることができ、毛束が密集して剛性が高くなる。このため、後側の縁の毛束で、歯牙面や歯茎を、能率よく、かつ強く確実に磨くことができる。
【００１８】
（実施の形態２）
図３は、本考案の実施の形態２の歯ブラシのブラシヘッド５１における毛束の配列を示し、（ａ）は正面図、また（ｂ）は側面図である。図１に示す毛束の配列とほとんど同じであるが、両側２列において、両側先頭毛束１１，３１と両側第２毛束１２，３２との間の間隔ｂ１が、本実施の形態２では、実施の形態１（図１）の毛束の配列より大きい。すなわち上記の間隔ｂ１は、両側先頭毛束の間隔ａ１に対して、同等を超える大きさである。本実施の形態における大きな間隔ｂ１によって、両側先頭毛束１１，３１は、他の毛束からやや大きく離れている。この結果、両側先頭毛束１１，３１の操作性を向上させることができる。
また、ブラシヘッド５１の後側に毛束配列の重心を少しずらすことで、歯牙面のブラッシングをやや強く確実にすることができる。
【００１９】
今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【産業上の利用可能性】
【００２０】
本考案の歯ブラシは、簡単な機構によって、インプラントやブリッジ等の人工物に付随する狭隘な凹部を清掃しながら、歯間を容易にブラッシングすることができ、人々の健康増進、とくに高齢者の歯の健康維持に大きな効果をあげることができる。
【符号の説明】
【００２１】
１１，３１  両側先頭毛束、１２，３２  両側第２毛束、１３，３３  両側第３毛束、１４，３４  両側第５毛束、１５，３５  両側最後尾毛束、２１  中央列の先頭毛束、２７  中央列の後側第２毛束、２８  中央列の最後尾毛束、５０  歯ブラシ、５１  ブラシヘッド、５２  歯ブラシの握り部、５３  歯ブラシのネック、ａ１  両側先頭毛束の間隔、ｂ１  両側先頭毛束と両側第２毛束との間隔、ｂ２  両側第２毛束と両側第３毛束との間隔、ｂ３  両側第３毛束と両側第４毛束との間隔、ｃ１  中央先頭毛束の両側先頭毛束からの後退距離、ｃ２  中央列の毛束の間隔。
【図１】
0003161347.tif 000003
【図２】
0003161347.tif 000004
【図３】
0003161347.tif 000005